(57)【要約】【課題】抜き取り治具を提供する。【解決手段】基体と２つのペンチ体を含み、基体中部に嵌合孔を開設し、基体上端に２つの支持部を突起し、基体下端に押圧ブロックを突出し、ペンチ体の一端が把手であり、もう一端がクランプ部であり、且つ該クランプ及び把手の間にそれぞれピン接合部を有し、２つのペンチ体のピン接合部は、前記気体の支持部上に装着され、レンズモジュールを抜き取る時、レンズの一部を基体の嵌合孔に挿入設置し、押圧ブロックがレンズモジュールを固定する複数の弾性片を外向きに押圧し、押圧板は、レンズモジュールの底台外側壁に係止し、この時、２つの把手を握り、それを相対的に引き集め、クランプ部は、レンズモジュールの外壁を係止し、レンズモジュールを教示した抜き取り治具全体を上向きに引き上げることができ、便利で迅速にレンズモジュールを支持ソケット中から抜き出すことができる抜き取り治具。【選択図】図２
0003149430.tif 000002
【実用新案登録請求の範囲】
【請求項１】
基体であって、該基体中部に嵌合孔を開設し、基体上端に支持部を突起し、基体下端に押圧ブロックを突出した基体と、
２つのペンチ体であって、ペンチ体の一端が把手であり、もう一端がクランプ部であり、且つ該クランプ部及び把手の間がそれぞれピン接合部を有し、２つのペンチ体のピン接合部が前記気体の支持部上に装着される２つのペンチ体と、
を含む抜き取り治具。
【請求項２】
前記嵌合孔の内側上に２つの収容孔を相対して凸設し、前記ペンチ体の２つのクランプ部がそれぞれ前記気体の収容孔内に設置される請求項１記載の抜き取り治具。
【請求項３】
前記支持部上にそれぞれ定位孔を貫通設置し、前記２つのペンチ体のピン接合部分にそれぞれ挿入孔を開設し、前記挿入孔及び定位孔中に固定ピンを挿入設置し、２つのペンチ体を基体上にピン接合する請求項１記載の抜き取り治具。
【請求項４】
前記固定ピン上にクッションパッドを設け、該クッションパッドがそれぞれ基体の支持部とペンチ体のピン接合部の間に配置される請求項３記載の抜き取り治具。
【請求項５】
前記押圧ブロック上に押圧板を凸伸する請求項１記載の抜き取り治具。
【考案の詳細な説明】
【技術分野】
【０００１】
本考案は、抜き取り治具に関し、特に、消耗電子製品のレンズモジュールを抜き取る抜き取り治具に関する。
【背景技術】
【０００２】
使用者の携帯電話等の電子製品に対する多機能の要求により、益々多くの製造業者がカメラ機能を実現可能なレンズモジュールを携帯電話等の電子製品中に整合し始め、カメラ機能に対する要求を満足させている。
【０００３】
図６において、従来のレンズモジュール８０は、支持ソケット９０中に装着される。該レンズモジュール８０は、通常、長方体を呈する底台８１と底台８１上部に位置するレンズ接合部８２を含み、レンズ接合部８２は、一側面に向かって凸ブロック８３を凸設する。支持ソケット９０は、収容空間を有する絶縁本体９１、絶縁本体９１外部に係合する金属殻体９２を含む。金属殻体９２は、複数の弾性片９２１を有し、レンズモジュール８０が支持ソケット９０中に挿入される時、該弾性片がレンズモジュール８０の底台８１の上面上又はレンズモジュール８０の底台８１の側面上に係止され、レンズモジュール８０を安定装着する目的を達成する。
【０００４】
上記電子製品のレンズモジュール８０は、レンズモジュールの体積が小さく、且つ緊密に装着され、取り外しが容易でないので、通常、専門の抜き取り治具を採用し、レンズモジュール８０を支持ソケット９０中から取り外している。
【０００５】
しかしながら、上記専門の抜き取り治具を採用した構造は、複雑であり、製造コストが高く、従って、更に構造が簡単な抜き取り治具を開発する必要がある。
【特許文献１】特開２００５−１５０１９６号公報
【考案の概要】
【考案が解決しようとする課題】
【０００６】
本考案の目的は、上記従来技術の不足に対して、構造が簡単で、コストを低減できる抜き取り治具を提供することである。
【課題を解決するための手段】
【０００７】
上記目的を達成するため、本考案が提供する抜き取り治具は、基体と２つのペンチ体を含む。基体中部に嵌合孔を開設し、基体上端に２つの支持部を突起し、基体下端に押圧ブロックを突出する。ペンチ体の一端が把手であり、もう一端がクランプ部であり、且つ該クランプ及び把手の間にそれぞれピン接合部を有する。２つのペンチ体のピン接合部は、前記気体の支持部上に装着される。
本考案は下記の特徴を有する。
（１）基体であって、該基体中部に嵌合孔を開設し、基体上端に支持部を突起し、基体下端に押圧ブロックを突出した基体と、
２つのペンチ体であって、ペンチ体の一端が把手であり、もう一端がクランプ部であり、且つ該クランプ部及び把手の間がそれぞれピン接合部を有し、２つのペンチ体のピン接合部が前記気体の支持部上に装着される２つのペンチ体と、
を含む抜き取り治具。
（２）前記嵌合孔の内側上に２つの収容孔を相対して凸設し、前記ペンチ体の２つのクランプ部がそれぞれ前記気体の収容孔内に設置される（１）記載の抜き取り治具。
（３）前記支持部上にそれぞれ定位孔を貫通設置し、前記２つのペンチ体のピン接合部分にそれぞれ挿入孔を開設し、前記挿入孔及び定位孔中に固定ピンを挿入設置し、２つのペンチ体を基体上にピン接合する（１）記載の抜き取り治具。
（４）前記固定ピン上にクッションパッドを設け、該クッションパッドがそれぞれ基体の支持部とペンチ体のピン接合部の間に配置される（３）記載の抜き取り治具。
（５）前記押圧ブロック上に押圧板を凸伸する（１）記載の抜き取り治具。
【考案の効果】
【０００８】
上記のように、本考案の抜き取り治具は、支持ソケット内からレンズモジュールを抜き取る時、レンズ接合部を基体の嵌合孔、収容孔内に挿入設置させることができ、この時、押圧ブロックが支持ソケット上のレンズモジュールを固定する複数の弾性片を外向きに押圧し、押圧板は、レンズモジュールの外側壁に係止し、レンズモジュールが弾性片の固定を受けないようにし、この時、２つの把手を握り、それを相対的に引き集め、この時、クランプ部は、レンズモジュールの外壁を係止し、レンズモジュールを教示した抜き取り治具全体を上向きに引き上げることができ、レンズモジュールを支持ソケット中から抜き出すことができる。本考案の抜き取り治具は、構造が簡単で、精確な定位を実現し、便利で、迅速に抜き取り作業を容易に完成することができる。
【考案を実施するための形態】
【０００９】
本考案の技術的内容、構造特徴、達成する効果を詳細に説明するため、以下に実施例を挙げ、図面に合わせて説明する。
【００１０】
図１及び図２において、本実施例の抜き取り治具１は、基体１０、該基体１０上にピン接合する２つのペンチ体２０、固定ピン３０及び２つのクッションリング４０を含む。
【００１１】
図２、図３、図４において、基体１０は、正方形板状を呈する基部１１を有し、基部１１下端に方形の押圧ブロック１４を突出し、基部１１中部に円形の嵌合孔１６を開設する。嵌合孔１６の孔壁上に相対する２つの半円形収容孔１７を形成し、該収容孔１７は、嵌合孔１６の側壁上に分布する。基部１１は、前記嵌合孔１６の前記２つの収容孔１７に垂直な径方向上にそれぞれ支持部１２を直立凸設する。前記２つの支持部１２上にそれぞれ定位孔１３を開設し、該定位孔１３に対して一直線になる。基体１０は、その嵌合孔１６の内側上に逃がし孔１８を開設する。
【００１２】
図４において、本実施例中の抜き取り治具１の押圧ブロック１４の外部輪郭は、矩形であり、押圧ブロック１４の両側辺縁箇所にそれぞれ押圧板１５を凸伸し、該押圧板１５の長さは、押圧ブロック１４の辺の長さより小さい。
【００１３】
図１及び図２において、前記ペンチ体２０は、把手２１を含み、把手２１は長柱形を呈し、把手２１下端にピン接合部２２を凸伸し、ピン接合部２２は、方形を呈し、その厚さは、把手２１の厚さの半分であり、且つその中に挿入孔２３を開設する。ピン接合部２２下端にクランプ部２４を延伸し、該クランプ部２４は、クランプアーム２５を有し、クランプアーム２５下端にラッチ板２６を凸伸する。
【００１４】
図１及び図２において、前記固定ピン３０は、定位孔１３及び挿入孔２３内に挿入設置される。前記２つのペンチ体２０は、対称に１つに重ね合わせられ、２つのクッションリング４０は、固定ピン３０上に被せられ、それぞれ支持体１２とピン接合部２２の間に配置され、２つのクランプ部２４は、それぞれ基体１０の収容孔１７内に収容される。
【００１５】
図５において、本考案の抜き取り治具８０は、通常、長方体を呈する底台８１及び底台８１の上部に位置するレンズ接合部８２を含み、レンズ接合部８２は、一側面に向かって凸ブロック８３を凸設し、支持体９０は、収容空間を有する絶縁本体９１、絶縁本体９１外部に係合する金属殻体９２を含み、金属殻体９２は、複数の弾性片９２１を有する。
【００１６】
支持ソケット９０内からレンズモジュール８０を抜き取る時、レンズ接合部８２を基体１０の嵌合孔１６、収容孔１７内に挿入設置し、レンズ接合部８２の凸ブロック８３は、基体１０の逃がし孔１８内に挿入設置し、この時、押圧ブロック１４は、外向きにレンズモジュール８０を固定する複数の弾性片９２１を押し、押圧板１５は、底台８１の２つの相対する外側壁に係止され、レンズモジュール８０が弾性片９２１の固定を受けないようにし、この時、２つの把手２１を握り、それを相対して寄せ集め、クランプ部２４は、レンズモジュール８０の外壁に係止され、その後、レンズモジュール８０を挟持した抜き取り治具１全体を上向きに上げることができ、レンズモジュール８０を支持ソケット９０中から取り出すことができる。
【００１７】
上記のように、本考案の抜き取り治具１の構造は簡単であり、精確な定位を実現し、レンズモジュールの抜き取り作業を便利で迅速に完成する。
【００１８】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００１９】
【図１】本考案の抜き取り治具の立体図である。
【図２】図１に示す抜き取り治具の立体分解図である。
【図３】図２に示す基体の立体図である。
【図４】図３に示す基体のもう１つの角度の立体図である。
【図５】本考案の抜き取り治具とレンズモジュール組み合わせ時の立体図である。
【図６】従来のレンズモジュール及び支持ソケットの立体図である。
【符号の説明】
【００２０】
（従来技術）
８０  レンズモジュール
８１  底台
８２  レンズモジュール接合部
８３  凸ブロック
９０  支持ソケット
９１  絶縁本体
９２  金属殻体
９２１  弾性片
（本考案）
１  抜き取り治具
１０  基体
１１  基部
１２  支持部
１３  定位孔
１４  押圧ブロック
１５  押圧板
１６  嵌合孔
１７  収容孔
１８  逃がし孔
２０  ペンチ体
２１  把手
２２  ピン接合部
２３  挿入孔
２４  クランプ部
２５  クランプアーム
２６  ラッチ板
３０  固定ピン
４０  クッションリング
【図１】
0003149430.tif 000003
【図２】
0003149430.tif 000004
【図３】
0003149430.tif 000005
【図４】
0003149430.tif 000006
【図５】
0003149430.tif 000007
【図６】
0003149430.tif 000008